(57)【要約】【課題】カバーまたは原稿自動供給ユニットが軸線まわりにカバー位置から露出位置に移動されるときに、カバーまたは原稿自動供給ユニットが軸線方向に対して傾くことを抑制できる、画像読取装置を提供する。【解決手段】ＡＤＦユニット６は、筐体５に対して上下方向に移動可能に設けられている。また、ＡＤＦユニット６が上側に回動して展開されるときに、ＡＤＦユニット６の右側が左側よりも先行して移動しやすい重量配分になっている。このとき、ＡＤＦユニット６が上側に回動して展開されるときに、ＡＤＦユニット６の左側に片寄った部分にＡＤＦユニット６の回動のための力が加えられても、当接部材１１１の当て面がヒンジ８１Ａに当接することにより、ヒンジ８１Ａが上下方向に対して傾くことを抑制できる。そのため、ＡＤＦユニット６が左右方向に対して傾くことを抑制できる。【選択図】図５
2014135718.tif 000002
【特許請求の範囲】
【請求項１】
原稿が載置される原稿載置面を有する筐体と、
前記筐体上に設けられ、前記筐体に対して前記原稿載置面を覆うカバー位置と前記原稿載置面を露出させる露出位置との間で軸線まわりに回動可能なカバーと、
前記軸線方向に間隔を空けて設けられ、一端部が前記筐体に対し前記原稿載置面と直交する移動方向に移動可能に挿入され、他端部が前記カバーに連結される２つのヒンジと、
少なくとも１つの前記ヒンジに前記軸線方向から当接可能な当接部材とを備える、画像読取装置。
【請求項２】
前記当接部材は、前記２つのヒンジに対して前記軸線方向の内側に配置され、前記ヒンジの前記軸線方向の内側の面に当接可能に設けられている、請求項１に記載の画像読取装置。
【請求項３】
前記筐体には、前記ヒンジが挿通される挿通口が形成され、
前記挿通口を形成する前記軸線方向の前記内側の壁面と前記当接部材における前記ヒンジに当接可能な部分とは、同一平面上に配置されている、請求項２に記載の画像読取装置。
【請求項４】
前記当接部材は、前記２つのヒンジに対して前記軸線方向の外側に配置され、前記ヒンジの前記軸線方向の外側の面に当接可能に設けられている、請求項１に記載の画像読取装置。
【請求項５】
前記ヒンジは、前記当接部材に向けて前記軸線方向の外側に延出する延出部を備えている、請求項４に記載の画像読取装置。
【請求項６】
前記ヒンジは、前記軸線方向および前記移動方向の両方に直交する方向に突出する突出部を備え、
前記当接部材は、前記２つのヒンジに対して前記軸線方向の内側に配置され、前記突出部に対して前記軸線方向の内側から当接可能に設けられている、請求項１に記載の画像読取装置。
【請求項７】
前記ヒンジは、前記軸線方向および前記移動方向の両方に直交する方向に突出する突出部を備え、
前記当接部材は、前記２つのヒンジに対して前記軸線方向の外側に配置され、前記突出部に対して前記軸線方向の外側から当接可能に設けられている、請求項１に記載の画像読取装置。
【請求項８】
前記カバーは、前記軸線方向の一方側が他方側よりも重く、
前記当接部材は、前記２つのヒンジのうちの前記軸線方向の前記一方側に配置される前記ヒンジに当接可能である、請求項１〜７のいずれか一項に記載の画像読取装置。
【請求項９】
前記当接部材は、前記軸線方向の前記内側ほど前記原稿載置面に近づくように傾斜する傾斜面を有する、請求項１〜８のいずれか一項に記載の画像読取装置。
【請求項１０】
前記当接部材は、前記移動方向に延び、前記ヒンジに当接可能な当て面を有する、請求項１〜９のいずれか一項に記載の画像読取装置。
【請求項１１】
原稿が載置される原稿載置面を有する筐体と、
前記筐体上に設けられ、前記筐体に対して前記原稿載置面を覆うカバー位置と前記原稿載置面を露出させる露出位置との間で軸線まわりに回動可能な原稿自動供給ユニットと、
前記軸線方向に間隔を空けて設けられ、一端部が前記筐体に対し前記原稿載置面と直交する移動方向に移動可能に挿入され、他端部が前記原稿自動供給ユニットに連結される２つのヒンジと、
前記２つのヒンジに対して前記軸線方向の内側に配置された当接部材とを備え、
前記筐体には、前記ヒンジが挿通される挿通口が形成され、
前記原稿自動供給ユニットは、原稿を搬送する搬送部と、前記軸線方向の一方側に偏った位置に配置され、前記搬送部の駆動力を発生するモータとを備え、
前記当接部材は、前記２つのヒンジのうちの前記軸線方向の前記一方側に配置される前記ヒンジに当接可能な当て面と、前記軸線方向の他方側ほど前記前記原稿載置面に近づくように傾斜する傾斜面とを有する、画像読取装置。
【請求項１２】
原稿が載置される原稿載置面を有する筐体と、
前記筐体上に設けられ、前記筐体に対して前記原稿載置面を覆うカバー位置と前記原稿載置面を露出させる露出位置との間で軸線まわりに回動可能な原稿自動供給ユニットと、
前記軸線方向に間隔を空けて設けられ、一端部が前記筐体に対し前記原稿載置面と直交する移動方向に移動可能に挿入され、他端部が前記原稿自動供給ユニットに連結される２つのヒンジと、
前記２つのヒンジに対して前記軸線方向の外側に配置された当接部材とを備え、
前記筐体には、前記ヒンジが挿通される挿通口が形成され、
前記原稿自動供給ユニットは、原稿を搬送する搬送部と、前記軸線方向の一方側に偏った位置に配置され、前記搬送部の駆動力を発生するモータとを備え、
２つのヒンジのうちの前記軸線方向の前記一方側に配置される前記ヒンジは、前記当接部材に向けて前記軸線方向の外側に延出する延出部を備え、
前記当接部材は、前記延出部に当接可能な当て面と、前記軸線方向の一方側ほど前記原稿載置面に近づくように傾斜する傾斜面とを有する、画像読取装置。
【請求項１３】
原稿が載置される原稿載置面を有する筐体と、
前記筐体上に設けられ、前記筐体に対して前記原稿載置面を覆うカバー位置と前記原稿載置面を露出させる露出位置との間で軸線まわりに回動可能な原稿自動供給ユニットと、
前記軸線方向に間隔を空けて設けられ、一端部が前記筐体に対し前記原稿載置面と直交する移動方向に移動可能に挿入され、他端部が前記原稿自動供給ユニットに連結される２つのヒンジと、
前記２つのヒンジに対して前記軸線方向の内側に配置された当接部材とを備え、
前記原稿自動供給ユニットは、原稿を搬送する搬送部と、前記軸線方向の一方側に偏った位置に配置され、前記搬送部の駆動力を発生するモータとを備え、
２つのヒンジのうちの前記軸線方向の前記一方側に配置される前記ヒンジは、前記軸線方向および前記移動方向の両方に直交する方向に突出する突出部を備え、
前記当接部材は、前記突出部に当接可能な当て面と、前記軸線方向の一方側ほど前記原稿載置面に近づくように傾斜する傾斜面とを有する、画像読取装置。
【発明の詳細な説明】
【技術分野】
【０００１】
本発明は、画像読取装置に関する。
【背景技術】
【０００２】
特許文献１に開示されている画像読取装置は、筐体およびカバーを備えている。カバーは、筐体の上面に設けられた原稿台を露出させる露出位置と原稿台に上側から覆い被さるカバー位置とに回動可能に設けられている。カバーが露出位置に位置する状態で、原稿は、画像が形成されている面を原稿台に向けて、原稿台上に載置される。その後、カバーが露出位置からカバー位置に移動されると、カバーに設けられた原稿押さえ板により、原稿が原稿台に押しつけられる。
【０００３】
カバーは、ヒンジにより、筐体に連結されている。ヒンジの一端部は、左右方向に延びる回動軸を介して、カバーの後端部に接続されている。ヒンジは、カバーから下側に延びている。ヒンジの下端部は、筐体に設けられたヒンジ受け部により、上下方向に移動可能に支持されている。
【０００４】
これにより、カバーの前端部を上方に持ち上げることにより、カバーをカバー位置から露出位置に移動させることができる。また、本などの厚手の原稿をカバーで押さえるときに、カバーが原稿台に略平行な状態となるように、カバーを筐体から浮かせることができる。その結果、原稿の画像が形成されている面を原稿台に一様に押しつけることができる。
【先行技術文献】
【特許文献】
【０００５】
【特許文献１】特開２００２−２４４２３３号公報
【発明の概要】
【発明が解決しようとする課題】
【０００６】
カバーがカバー位置から露出位置に移動されるときに、カバーの前端部の左右方向の一方側に片寄った部分に力が加えられることがある。この場合、カバーの前端部の左右方向の一方側が他方側よりも先行して持ち上がり、カバーが筐体に対して傾斜しつつ、ヒンジが上方に移動する。そのため、ヒンジの下端部が筐体のヒンジ受け部に摺擦し、ヒンジ受け部が傷つくおそれがある。
【０００７】
本発明の目的は、カバーまたは原稿自動供給ユニットが軸線まわりにカバー位置から露出位置に移動されるときに、カバーまたは原稿自動供給ユニットが軸線方向に対して傾くことを抑制できる、画像読取装置を提供することである。
【課題を解決するための手段】
【０００８】
前記の目的を達成するため、本発明の一の局面に係る画像読取装置は、原稿が載置される原稿載置面を有する筐体と、筐体上に設けられ、筐体に対して原稿載置面を覆うカバー位置と原稿載置面を露出させる露出位置との間で軸線まわりに回動可能なカバーと、軸線方向に間隔を空けて設けられ、一端部が筐体に対し原稿載置面と直交する移動方向に移動可能に挿入され、他端部が前記カバーに連結される２つのヒンジと、少なくとも１つのヒンジに軸線方向から当接可能な当接部材とを備える。
【０００９】
この構成によれば、カバーがカバー位置から露出位置に回動されるときに、カバーにおける軸線方向に片寄った部分にカバーの回動のための力が加えられても、当接部材が少なくとも１つのヒンジに軸線方向から当接することにより、ヒンジが軸線方向と直交する移動方向に対して傾くことを抑制できる。そのため、カバーが軸線方向に対して傾くことを抑制できる。
【００１０】
当接部材は、２つのヒンジに対して軸線方向の内側に配置され、ヒンジの軸線方向の内側の面に当接可能に設けられていてもよい。
【００１１】
この構成によれば、カバーがカバー位置から露出位置に回動されるときに、カバーにおける軸線方向に片寄った部分にカバーの回動のための力が加えられても、当接部材が少なくとも１つのヒンジに軸線方向の内側から当接することにより、ヒンジが軸線方向と直交する移動方向に対して傾くことを抑制できる。そのため、カバーが軸線方向に対して傾くことを抑制できる。
【００１２】
筐体には、ヒンジが挿通される挿通口が形成され、挿通口を形成する軸線方向の内側の壁面と当接部材におけるヒンジに当接可能な部分とは、同一平面上に配置されていてもよい。
【００１３】
この構成によれば、ヒンジが移動方向に沿って延びた状態で、挿通口を形成する軸線方向の内側の壁面と当接部材におけるヒンジに当接可能な部分との一方がヒンジに強く当接することを抑制できる。そのため、ヒンジをよりスムーズに移動させることができる。
【００１４】
当接部材は、２つのヒンジに対して軸線方向の外側に配置され、ヒンジの軸線方向の外側の面に当接可能に設けられていてもよい。
【００１５】
この構成によれば、カバーがカバー位置から露出位置に回動されるときに、カバーにおおける軸線方向に片寄った部分にカバーの回動のための力が加えられても、当接部材が少なくとも１つのヒンジに軸線方向の外側から当接することにより、ヒンジが軸線方向と直交する移動方向に対して傾くことを抑制できる。そのため、カバーが軸線方向に対して傾くことを抑制できる。
【００１６】
ヒンジは、当接部材に向けて軸線方向の外側に延出する延出部を備えていてもよい。
【００１７】
この構成によれば、ヒンジにおける延出部以外の部分と当接部材との間に、軸線方向に間隔を空けることができる。そのため、ヒンジが移動方向に移動するときに、ヒンジにおける延出部以外の部分が当接部材に摺擦することを抑制できる。その結果、ヒンジおよび当接部材の摩耗および摺擦音の発生を抑制することができる。
【００１８】
ヒンジは、軸線方向および移動方向の両方に直交する方向に突出する突出部を備え、当接部材は、２つのヒンジに対して軸線方向の内側に配置され、突出部に対して軸線方向の内側から当接可能に設けられていてもよい。
【００１９】
この構成によれば、カバーがカバー位置から露出位置に回動されるときに、カバーにおける軸線方向に片寄った部分にカバーの回動のための力が加えられても、当接部材が少なくとも１つのヒンジの突出部に軸線方向の内側から当接することにより、ヒンジが軸線方向と直交する移動方向に対して傾くことを抑制できる。そのため、カバーが軸線方向に対して傾くことを抑制できる。
【００２０】
ヒンジは、軸線方向および移動方向の両方に直交する方向に突出する突出部を備え、当接部材は、２つのヒンジに対して軸線方向の外側に配置され、突出部に対して軸線方向の外側から当接可能に設けられていてもよい。
【００２１】
この構成によれば、カバーがカバー位置から露出位置に回動されるときに、カバーにおける軸線方向に片寄った部分にカバーの回動のための力が加えられても、当接部材が少なくとも１つのヒンジの突出部に軸線方向の外側から当接することにより、ヒンジが軸線方向と直交する移動方向に対して傾くことを抑制できる。そのため、カバーが軸線方向に対して傾くことを抑制できる。
【００２２】
カバーは、軸線方向の一方側が他方側よりも重く、当接部材は、２つのヒンジのうちの軸線方向の一方側に配置されるヒンジに当接可能であってもよい。
【００２３】
カバーの軸線方向の一方側が他方側よりも重い場合、カバーがカバー位置から露出位置に回動されるときに、カバーの軸線方向の他方側が一方側よりも先行して移動されやすい。カバーの軸線方向の他方側が一方側よりも先行して移動すると、カバーが軸線方向に対して傾斜する。その結果、一方側のヒンジは、その一端部が軸線方向の内側に移動するように、移動方向に対して傾く。
【００２４】
そのため、カバーの軸線方向の一方側が他方側よりも重い場合、当接部材は、２つのヒンジのうちの軸線方向の一方側に配置されるヒンジに当接可能であることが好ましい。
【００２５】
これにより、一方側のヒンジに当接部材が当接することにより、ヒンジが移動方向に対して傾くことを抑制できる。そのため、カバーの軸線方向の一方側が他方側よりも重くても、カバーが軸線方向に対して傾くことを抑制できる。
【００２６】
カバーが筐体から移動方向に離間し、ヒンジが当接部材に対して離間したときに、ヒンジの軸線方向の位置が正規の位置から軸線方向の内側にずれるおそれがある。この場合に、ヒンジが当接部材に対して離間した位置から当接部材に近づく方向に移動されると、ヒンジの一端部が当接部材に移動方向に当接する。
【００２７】
そのため、当接部材は、軸線方向の内側ほど原稿載置面に近づくように傾斜する傾斜面を有していることが好ましい。
【００２８】
この構成によれば、ヒンジが当接部材に対して離間した状態で、ヒンジの軸線方向の位置が正規の位置から軸線方向の内側にずれていても、ヒンジが当接部材に近づく方向に移動されるときに、ヒンジの一端部が当接部材の傾斜面に沿って移動し、ヒンジの軸線方向の位置が正規の位置に戻る。そのため、ヒンジをスムーズに移動させることができる。
【００２９】
当接部材は、移動方向に延び、ヒンジに当接可能な当て面を有していてもよい。
【００３０】
これにより、当接部材がヒンジに面で当接するので、ヒンジが移動方向に対して傾くことを一層抑制することができる。
【００３１】
本発明の他の局面に係る画像読取装置は、原稿が載置される原稿載置面を有する筐体と、前記筐体上に設けられ、前記筐体に対して前記原稿載置面を覆うカバー位置と前記原稿載置面を露出させる露出位置との間で軸線まわりに回動可能な原稿自動供給ユニットと、前記軸線方向に間隔を空けて設けられ、一端部が前記筐体に対し前記原稿載置面と直交する移動方向に移動可能に挿入され、他端部が前記原稿自動供給ユニットに連結される２つのヒンジと、前記２つのヒンジに対して前記軸線方向の内側に配置された当接部材とを備え、前記筐体には、前記ヒンジが挿通される挿通口が形成され、前記原稿自動供給ユニットは、原稿を搬送する搬送部と、前記軸線方向の一方側に偏った位置に配置され、前記搬送部の駆動力を発生するモータとを備え、前記当接部材は、前記２つのヒンジのうちの前記軸線方向の前記一方側に配置される前記ヒンジに当接可能な当て面と、前記軸線方向の他方側ほど前記前記原稿載置面に近づくように傾斜する傾斜面とを有する。
【００３２】
この構成によれば、原稿自動供給ユニットの軸線方向の一方側に偏った位置に、モータが配置されている。そのため、原稿自動供給ユニットの軸線方向の一方側は、他方側よりも重い。すなわち、原稿自動供給ユニットがカバー位置から露出位置に回動されるときに、原稿自動供給ユニットの軸線方向の他方側が一方側よりも先行して移動されやすい重量配分になっている。
【００３３】
原稿自動供給ユニットがカバー位置から露出位置に回動されるときに、原稿自動供給ユニットの軸線方向の一方側に片寄った部分に原稿自動供給ユニットの回動のための力が加えられても、当接部材の当て面が２つのヒンジのうちの一方側のヒンジに当接することにより、ヒンジが軸線方向と直交する移動方向に対して傾くことを抑制できる。そのため、原稿自動供給ユニットが軸線方向に対して傾くことを抑制できる。
【００３４】
また、ヒンジが当接部材に対して移動方向に離間した状態で、ヒンジの軸線方向の位置が正規の位置から軸線方向の内側にずれていても、ヒンジが当接部材に近づく方向に移動されるときに、ヒンジの一端部が当接部材の傾斜面に沿って移動し、ヒンジの軸線方向の位置が正規の位置に戻る。そのため、ヒンジをスムーズに移動させることができる。
【００３５】
本発明の他の局面に係る画像読取装置は、原稿が載置される原稿載置面を有する筐体と、筐体上に設けられ、筐体に対して原稿載置面を覆うカバー位置と原稿載置面を露出させる露出位置との間で軸線まわりに回動可能な原稿自動供給ユニットと、軸線方向に間隔を空けて設けられ、一端部が筐体に対し原稿載置面と直交する移動方向に移動可能に挿入され、他端部が原稿自動供給ユニットに連結される２つのヒンジと、２つのヒンジに対して軸線方向の外側に配置された当接部材とを備え、筐体には、ヒンジが挿通される挿通口が形成され、原稿自動供給ユニットは、原稿を搬送する搬送部と、軸線方向の一方側に偏った位置に配置され、搬送部の駆動力を発生するモータとを備え、２つのヒンジのうちの軸線方向の一方側に配置されるヒンジは、当接部材に向けて軸線方向の外側に延出する延出部を備え、当接部材は、延出部に当接可能な当て面と、軸線方向の一方側ほど原稿載置面に近づくように傾斜する傾斜面とを有する。
【００３６】
この構成によれば、原稿自動供給ユニットの軸線方向の一方側に偏った位置に、モータが配置されている。そのため、原稿自動供給ユニットの軸線方向の一方側は、他方側よりも重い。すなわち、原稿自動供給ユニットがカバー位置から露出位置に回動されるときに、原稿自動供給ユニットの軸線方向の他方側が一方側よりも先行して移動されやすい重量配分になっている。
【００３７】
原稿自動供給ユニットがカバー位置から露出位置に回動されるときに、原稿自動供給ユニットの軸線方向の一方側に片寄った部分に原稿自動供給ユニットの回動のための力が加えられても、当接部材の当て面が２つのヒンジのうちの一方側のヒンジの延出部に当接することにより、ヒンジが軸線方向と直交する移動方向に対して傾くことを抑制できる。そのため、原稿自動供給ユニットが軸線方向に対して傾くことを抑制できる。
【００３８】
また、ヒンジが当接部材に対して移動方向に離間した状態で、ヒンジの軸線方向の位置が正規の位置から軸線方向の内側にずれていても、ヒンジの延出部が当接部材に近づく方向に移動されるときに、ヒンジの延出部が当接部材の傾斜面に沿って移動し、ヒンジの軸線方向の位置が正規の位置に戻る。そのため、ヒンジをスムーズに移動させることができる。
【００３９】
また、ヒンジにおける延出部以外の部分と当接部材との間には、軸線方向において間隔が生じているので、ヒンジが移動方向に移動したときにヒンジにおける延出部以外の部分と当接部材とが摺動することを抑制することができる。
【００４０】
本発明の他の局面に係る画像読取装置は、原稿が載置される原稿載置面を有する筐体と、筐体上に設けられ、筐体に対して原稿載置面を覆うカバー位置と原稿載置面を露出させる露出位置との間で軸線まわりに回動可能な原稿自動供給ユニットと、軸線方向に間隔を空けて設けられ、一端部が筐体に対し原稿載置面と直交する移動方向に移動可能に挿入され、他端部が原稿自動供給ユニットに連結される２つのヒンジと、２つのヒンジに対して軸線方向の内側に配置された当接部材とを備え、原稿自動供給ユニットは、原稿を搬送する搬送部と、軸線方向の一方側に偏った位置に配置され、搬送部の駆動力を発生するモータとを備え、２つのヒンジのうちの軸線方向の一方側に配置されるヒンジは、軸線方向および移動方向の両方に直交する方向に突出する突出部を備え、当接部材は、突出部に当接可能な当て面と、軸線方向の一方側ほど原稿載置面に近づくように傾斜する傾斜面とを有する。
【００４１】
この構成によれば、原稿自動供給ユニットの軸線方向の一方側に偏った位置に、モータが配置されている。そのため、原稿自動供給ユニットの軸線方向の一方側は、他方側よりも重い。すなわち、原稿自動供給ユニットがカバー位置から露出位置に回動されるときに、原稿自動供給ユニットの軸線方向の他方側が一方側よりも先行して移動されやすい重量配分になっている。
【００４２】
原稿自動供給ユニットがカバー位置から露出位置に回動されるときに、原稿自動供給ユニットの軸線方向の一方側に片寄った部分に原稿自動供給ユニットの回動のための力が加えられても、当接部材の当て面が２つのヒンジのうちの一方側のヒンジの突出部に当接することにより、ヒンジが軸線方向と直交する移動方向に対して傾くことを抑制できる。そのため、原稿自動供給ユニットが軸線方向に対して傾くことを抑制できる。
【００４３】
また、ヒンジが当接部材に対して移動方向に離間した状態で、ヒンジの軸線方向の位置が正規の位置から軸線方向の内側にずれていても、ヒンジの突出部が当接部材に近づく方向に移動されるときに、ヒンジの突出部が当接部材の傾斜面に沿って移動し、ヒンジの軸線方向の位置が正規の位置に戻る。そのため、ヒンジをスムーズに移動させることができる。
【発明の効果】
【００４４】
本発明によれば、当接部材がヒンジに軸線方向の内側から当接することにより、ヒンジが軸線方向と直交する移動方向に対して傾くことを抑制できる。そのため、カバーまたは原稿自動供給ユニットが軸線方向に対して傾くことを抑制できる。
【図面の簡単な説明】
【００４５】
【図１】図１は、本発明の一実施形態に係る画像読取装置３が備えられた複合機１の右前上側から見た斜視図である。
【図２】図２は、画像読取装置３の断面図である。
【図３】図３は、画像読取装置３の平面図であり、トレイ８が除去された状態を示す。
【図４】図４は、図３に示される切断面線Ａ−Ａにおける画像読取装置３の断面図であり、内部フレーム３１が除去された状態を示す。
【図５】図５は、図３に示される切断面線Ｂ−Ｂにおける画像読取装置３の断面図である。
【図６】図６は、図５に示される画像読取装置３の断面図におけるヒンジ８１Ａ近傍の拡大図である。
【図７】図７は、図３に示される切断面線Ｂ−Ｂにおける画像読取装置３の断面図であり、冊子Ｂの画像を読み取るときの状態を示す。
【図８】図８は、変形例について説明するための説明図である。
【図９】図９は、変形例について説明するための画像読取装置３の断面図である。
【図１０】図１０は、図９に示される画像読取装置３の断面図におけるヒンジ８１Ｂ近傍の拡大図である。
【図１１】図１１は、本発明の第２実施形態に係る画像読取装置３の断面図である。
【図１２】図１２は、図１１に示される画像読取装置３の断面図におけるヒンジ８１Ａ近傍の拡大図である。
【図１３】図１３は、本発明の第３実施形態に係る画像読取装置３の背面図である。
【図１４】図１４は、図１３に示される画像読取装置３の背面図におけるヒンジ８１Ａ近傍の拡大図である。
【図１５】図１５は、図１３に示される画像読取装置３の背面図におけるヒンジ８１Ｂ近傍の拡大図である。
【発明を実施するための形態】
【００４６】
以下では、本発明の実施の形態について、添付図面を参照しつつ詳細に説明する。
【００４７】
＜外観構成＞
【００４８】
図１に示されるように、複合機１は、画像形成装置２および画像読取装置３を含む。
【００４９】
画像形成装置２は、シートを収容可能な供給カセット４を備える。画像形成装置２は、供給カセット４から搬送されてくるシートに微滴化したインクを直接に噴射して、シートに画像を形成する、インクジェット方式を採用したものであってもよい。また、画像形成装置２は、供給カセット４から搬送されてくるシートにトナー像を転写および定着して、シートに画像を形成する、電子写真方式を採用したものであってもよい。
【００５０】
画像読取装置３は、筐体５、自動原稿搬送ユニット（Ａｕｔｏｍａｔｉｃ  Ｄｏｃｕｍｅｎｔ  Ｆｅｅｄｅｒ  ユニット、以後、「ＡＤＦユニット」と記す）６、操作パネル７、トレイ８、メンテナンスカバー９およびストッパ１０を備える。
【００５１】
なお、以下の説明では、筐体５に対するＡＤＦユニット６側を上側とし、平面視で筐体５の中央に対する操作パネル７側を前側として、上下、左右および前後の各方向を規定する。そして、図１以降の各図では、矢印で方向を表示する。
【００５２】
筐体５は、筐体の一例であり、画像形成装置２の上側に配置されている。
【００５３】
ＡＤＦユニット６は、カバーおよび原稿自動供給ユニットの一例であり、前側板１１および後側板１２を備える。前側板１１および後側板１２は、互いに前後方向に間隔を空けて配置されている。前側板１１の約左半分の左側部分１５は、残りの右側部分１６よりも上下方向の寸法が大きい。そのため、左側部分１５の上端は、右側部分１６の上端よりも高い位置に位置している。また、後側板１２の約左半分の左側部分１７は、残りの右側部分１８よりも上下方向の寸法が大きい。そのため、左側部分１７の上端は、右側部分１８の上端よりも高い位置に位置している。また、前側板１１および後側板１２は、画像読取装置３がコンパクトに見えるように、それぞれ上側ほど前後方向の内側に位置するように傾斜している。また、前側板１１には、開口２６が形成されている。開口２６は、前側板１１の下端部の左右方向の中央部を上側に切り欠いて形成されている。開口２６に指などが挿入され、ＡＤＦユニット６が上側に持ち上がられると、ＡＤＦユニット６が筐体５から離間するように回動する。
【００５４】
操作パネル７は、筐体５の前面１９に配設されている。操作パネル７は、使用者により、各種設定のために操作される。また、操作パネル７は、その設定された内容などの情報を表示する。
【００５５】
トレイ８は、前側板１１の左側部分１５と後側板１２の左側部分１７との間に架設されている。トレイ８は、図１に示されるカバー位置と図２に示されるトレイ位置との間で、左側部分１５，１７の各右上端部間で前後方向に延びる回動軸線２０まわりに回動可能に設けられている。トレイ８は、カバー位置において、左側部分１５，１７の各上端縁に沿って延び、メンテナンスカバー９を上側から覆う。トレイ８は、トレイ位置において、左側部分１５，１７の各右端部間から右上がりに延びる。
【００５６】
メンテナンスカバー９は、前側板１１の左側部分１５と後側板１２の左側部分１７との間に架設されている。メンテナンスカバー９は、図１に示されるカバー位置とメンテナンス位置との間で、左側部分１５，１７の各左下端部間で前後方向に延びる回動軸線２１まわりに回動可能に設けられている。メンテナンスカバー９は、図２に示されるように、カバー位置において、左側部分１５，１７の左端縁に沿って延びる側部２２と、側部２２の上端から左側部分１５，１７の上端縁に沿って延びる上部２３とを備える。側部２２は、画像読取装置３がコンパクトに見えるように、それぞれ上側ほど前後方向の内側に位置するように傾斜している。メンテナンスカバー９がメンテナンス位置に位置する状態で、上部２３が略鉛直方向に延びる。
【００５７】
ストッパ１０は、ＡＤＦユニット６の上面２４に形成された凹部２５に配置されている。ストッパ１０は、収納位置と展開位置との間で、凹部２５の右端部で前後方向に延びる回動軸線まわりに回動可能に設けられている。ストッパ１０は、収納位置において、凹部２５内に収納される。ストッパ１０は、展開位置において、凹部２５の右端部から右上がりに延出する。
【００５８】
＜内部構成＞
【００５９】
ＡＤＦユニット６は、図２に示されるように、内部フレーム３１および下フレーム３２を備える。
【００６０】
内部フレーム３１は、カバー位置に位置するメンテナンスカバー９の上部２３の下側に設けられている。
【００６１】
下フレーム３２は、内部フレーム３１の下側に設けられている。
【００６２】
メンテナンスカバー９の内面と内部フレーム３１との間には、間隔が空けられている。これにより、メンテナンスカバー９の内面と内部フレーム３１との間には、原稿Ｓが搬送される搬送経路３３が形成されている。また、内部フレーム３１と下フレーム３２との間には、間隔が空けられている。これにより、内部フレーム３１と下フレーム３２との間には、原稿Ｓが搬送される搬送経路３３が形成されている。搬送経路３３は、相対的に上側に位置する上経路３４、上経路３４の下側に位置する下経路３５および上経路３４と下経路３５とを接続する湾曲経路３６を有している。上経路３４は、メンテナンスカバー９の内面と内部フレーム３１との間で左右方向に延びる空間である。下経路３５は、内部フレーム３１と下フレーム３２との間で左右方向に延びる空間である。湾曲経路３６は、後述する第２ＬＦローラ４９の周面に沿って湾曲した空間である。
【００６３】
画像読取装置３は、搬送経路３３における原稿Ｓの搬送方向に沿って、トレイ４１、１対の幅ガイド４２、供給ローラ４３、分離ローラ４４、分離片４５、第１ＬＦローラ４６、第１従動ローラ４７、第１読取部４８、第２ＬＦローラ４９、第２従動ローラ５０、第３従動ローラ５１、第２読取部５２、１対の排出ローラ５３およびトレイ５４を備える。
【００６４】
なお、以下の説明において、とくに明記しない限りは、メンテナンスカバー９がカバー位置に位置しているものとする。
【００６５】
トレイ４１は、メンテナンスカバー９の右端部の下側に間隔を空けて設けられている。トレイ４１は、右上がりに延びている。画像読取の対象である原稿Ｓは、トレイ４１とトレイ位置に位置するトレイ８とに跨がって載置され得る。
【００６６】
１対の幅ガイド４２は、トレイ４１に設けられている。１対の幅ガイド４２は、互いに前後方向に対向している。１対の幅ガイド４２は、それらの間の中央を基準として、互いに同じ移動量で近接および離間可能に構成されている。１対の幅ガイド４２の間隔は、トレイ４１の上面に載置される原稿Ｓの前後方向の幅に合わせて調節される。原稿Ｓは、１対の幅ガイド４２の間に右側から差し込まれる。これにより、原稿Ｓは、トレイ４１上にセンタ基準で載置される。
【００６７】
供給ローラ４３は、前側板１１の左側部分１５と後側板１２の左側部分１７との間に、前後方向に延びる回転軸線まわりに回転可能に保持されている。供給ローラ４３の周面は、上経路３４において、トレイ４１の左端部に上側から当接している。
【００６８】
分離ローラ４４は、供給ローラ４３の左側に配置されている。分離ローラ４４は、前側板１１の左側部分１５と後側板１２の左側部分１７との間に、前後方向に延びる回転軸線まわりに回転可能に保持されている。
【００６９】
分離片４５は、分離ローラ４４の下側に配置されている。分離片４５は、内部フレーム３１に保持されている。分離片４５は、上経路３４において、分離ローラ４４の周面に上方から弾性的に当接している。
【００７０】
第１ＬＦローラ４６は、分離片４５の左側に配置されている。第１ＬＦローラ４６は、前側板１１の左側部分１５と後側板１２の左側部分１７との間に、前後方向に延びる回転軸線まわりに回転可能に保持されている。
【００７１】
第１従動ローラ４７は、第１ＬＦローラ４６の上側に配置されている。第１従動ローラ４７は、前側板１１の左側部分１５と後側板１２の左側部分１７との間に、前後方向に延びる回転軸線まわりに回転可能に保持されている。第１従動ローラ４７の周面は、上経路３４において、第１ＬＦローラ４６の周面に当接している。第１従動ローラ４７は、第１ＬＦローラ４６の回転に従動して回転する。
【００７２】
第１読取部４８は、密着イメージセンサモジュール６１、コンタクトガラス６２および原稿押さえ部材６３を備える。
【００７３】
密着イメージセンサモジュール６１は、第１ＬＦローラ４６の左側に配置されている。密着イメージセンサモジュール６１は、内部フレーム３１に下側に凹んで形成された凹部５８に収容されている。密着イメージセンサモジュール６１は、凹部５８内で前後方向に延びている。密着イメージセンサモジュール６１の内部には、たとえば、ＬＥＤ光源、レンズおよびイメージセンサなどが設けられている。
【００７４】
コンタクトガラス６２は、凹部５８を閉塞するように、密着イメージセンサモジュール６１の上側に設けられている。コンタクトガラス６２の上面は、上経路３４に臨んでいる。
【００７５】
原稿押さえ部材６３は、コンタクトガラス６２の上側に配置されている。原稿押さえ部材６３は、メンテナンスカバー９に支持されている。原稿押さえ部材６３は、上経路３４において、コンタクトガラス６２の上面に弾性的に当接している。
【００７６】
第２ＬＦローラ４９は、内部フレーム３１の左端部に配置されている。第２ＬＦローラ４９は、前側板１１の左側部分１５と後側板１２の左側部分１７との間に、前後方向に延びる回転軸線まわりに回転可能に保持されている。
【００７７】
第２従動ローラ５０は、第２ＬＦローラ４９の上側に配置されている。第２従動ローラ５０は、前側板１１の左側部分１５と後側板１２の左側部分１７との間に、前後方向に延びる回転軸線まわりに回転可能に保持されている。第２従動ローラ５０の周面は、湾曲経路３６において、第２ＬＦローラ４９の周面に当接している。第２従動ローラ５０は、第２ＬＦローラ４９の回転に従動して回転する。
【００７８】
第３従動ローラ５１は、第２ＬＦローラ４９の左下側に配置されている。第３従動ローラ５１は、前側板１１の左側部分１５と後側板１２の左側部分１７との間に、前後方向に延びる回転軸線まわりに回転可能に保持されている。第３従動ローラ５１の周面は、湾曲経路３６において、第２ＬＦローラ４９の周面に当接している。第３従動ローラ５１は、第２ＬＦローラ４９の回転に従動して回転する。
【００７９】
第２読取部５２は、密着イメージセンサモジュール６４、コンタクトガラス６５および原稿押さえ部材６６を備える。
【００８０】
密着イメージセンサモジュール６４は、筐体５に、左右方向に移動可能に設けられている。密着イメージセンサモジュール６４は、前後方向に延びている。密着イメージセンサモジュール６４の内部には、たとえば、ＬＥＤ光源、レンズおよびイメージセンサなどが設けられている。密着イメージセンサモジュール６４は、ＡＤＦ読取時および画像読取装置１の非使用時などにおいて、コンタクトガラス６５の左端部の下側に配置されている。
【００８１】
コンタクトガラス６５は、原稿載置面の一例である原稿載置面６５Ａを上面に備える。コンタクトガラス６５は、筐体５の上部に設けられている。原稿載置面６５Ａ上に静止原稿が載置される。
【００８２】
原稿押さえ部材６６は、コンタクトガラス６５の左端部の上側に配置されている。原稿押さえ部材６６は、内部フレーム３１に弾性的に支持されている。原稿押さえ部材６６は、下経路３５において、コンタクトガラス６５の上面に弾性的に当接している。
【００８３】
１対の排出ローラ５３は、トレイ４１の左端部の下側に配置されている。上側の排出ローラ５３は、内部フレーム３１に配置されている。下側の排出ローラ５３は、下フレーム３２に配置されている。１対の排出ローラ５３は、前側板１１の左側部分１５と後側板１２の左側部分１７との間に、前後方向に延びる回転軸線まわりに回転可能に保持されている。下側の排出ローラ５３の周面は、下経路３５において、上側の排出ローラ５３の周面に当接している。下側の排出ローラ５３は、上側の排出ローラ５３の回転に従動して回転する。
【００８４】
トレイ５４は、トレイ４１の下側に設けられている。トレイ５４の右端部は、下経路３５の出口より低い位置に位置している。トレイ５４は、右上がりに延びている。
【００８５】
また、画像読取装置３は、図４に示されるように、駆動フレーム７１およびモータ７２を備える。
【００８６】
駆動フレーム７１は、板金からなる。駆動フレーム７１は、後側板１２の左側部分１７の前側に配置されている。
【００８７】
モータ７２は、駆動フレーム７１に取り付けられている。モータ７２が発生する駆動力は、駆動フレーム７１に支持された非図示のギヤ機構を介して、供給ローラ４３、分離ローラ４４、第１ＬＦローラ４６、第２ＬＦローラ４９および上側の排出ローラ５３に伝達される。
【００８８】
このように、駆動フレーム７１およびモータ７２を含む駆動機構が画像読取装置３の左側に偏った位置に配置されているので、画像読取装置３は、左側が右側よりも重くなっている。
【００８９】
＜ヒンジ＞
【００９０】
画像読取装置３は、図５に示されるように、２つのヒンジ８１Ａおよびヒンジ８１Ｂを備えている。ヒンジ８１Ａは、画像読取装置３の左後端部に設けられている。ヒンジ８１Ｂは、画像読取装置３の右後端部に設けられている。
【００９１】
ヒンジ８１Ａは、他端部の一例としての軸部８２Ａ、一端部の一例としての挿入部８３Ａおよび突部８４Ａを備える。ヒンジ８１Ｂは、他端部の一例としての軸部８２Ｂ、一端部の一例としての挿入部８３Ｂおよび突部８４Ｂを備える。
【００９２】
軸部８２Ａは、左右方向に延びている。軸部８２Ａは、ＡＤＦユニット６の下フレーム３２に取り付けられている。軸部８２Ｂは、左右方向に延びている。軸部８２Ｂは、ＡＤＦユニット６の下フレーム３２に取り付けられている。ヒンジ８１Ａおよびヒンジ８１Ｂの各々の軸部８２Ａおよび軸部８２ＢがＡＤＦユニット６に取り付けられていることにより、ＡＤＦユニット６は、軸部８２Ａおよび軸部８２Ｂ周りに、すなわち、その中心軸線８５まわりに回動可能である。ＡＤＦユニット６は、図２に示すコンタクトガラス６５を覆うカバー位置とコンタクトガラス６５を露出させる露出位置との間で回動する。
【００９３】
挿入部８３Ａは、軸部８２Ａの左右方向の略中央部から下側に延びている。挿入部８３Ａは、左側面８６Ａ、右側面８７Ａおよび下端面８８Ａを有している。左側面８６Ａおよび右側面８７Ａは、上下方向および前後方向に延びる平面である。下端面８８Ａは、左側面８６Ａおよび右側面８７Ａの各下端縁間に架設されている。下端面８８Ａは、前後方向および左右方向に延びる平面である。挿入部８３Ｂは、軸部８２Ｂの左右方向の略中央部から下側に延びている。挿入部８３Ｂは、左側面８６Ｂ、右側面８７Ｂおよび下端面８８Ｂを有している。左側面８６Ｂおよび右側面８７Ｂは、上下方向および前後方向に延びる平面である。下端面８８Ｂは、左側面８６Ｂおよび右側面８７Ｂの各下端縁間に架設されている。下端面８８Ｂは、前後方向および左右方向に延びる平面である。
【００９４】
突部８４Ａは、挿通部８３Ａの下端面８８Ａから下側に突出している。突部８４Ａは、左側面８９Ａおよび右側面９０Ａを有している。左側面８９Ａおよび右側面９０Ａは、上下方向および前後方向に延びる平面である。左側面８９Ａは、挿入部８３Ａの左側面８６Ａよりも右側に位置している。右側面９０Ａは、挿入部８３Ａの右側面８７Ａよりも左側に位置している。突部８４Ｂは、挿通部８３Ｂの下端面８８Ｂから下側に突出している。突部８４Ｂは、左側面８９Ｂおよび右側面９０Ｂを有している。左側面８９Ｂおよび右側面９０Ｂは、上下方向および前後方向に延びる平面である。左側面８９Ｂは、挿入部８３Ｂの左側面８６Ｂよりも右側に位置している。右側面９０Ｂは、挿入部８３Ｂの右側面８７Ｂよりも左側に位置している。
【００９５】
ヒンジ８１Ａの挿入部８３Ａおよび突部８４Ａは、筐体５に形成された挿通口の一例としての挿通口９１に挿入されている。挿通口９１は、筐体５の左後端部の上面９２Ａから下側に凹んで形成されている。
【００９６】
挿通口９１の左側の壁面９３は、上面９２Ａから下側に延びる上壁面部９４と、上壁面部９４の下側で上下方向に延びる下壁面部９５とを含む。挿通口９１の右側の壁面９６は、上面９２から下側に延びる上壁面部９７と、上壁面部９７の下側で上下方向に延びる下壁面部９８とを含む。上壁面部９４，９７の間には、左右方向に、ヒンジ８１の挿入部８３Ａの左側面８６Ａと右側面８７Ａとの間隔よりも大きい間隔が空けられている。また、下壁面部９５，９８の間には、上壁面部９４，９７間の間隔よりも小さく、ヒンジ８１Ａの挿入部８３Ａの左側面８６Ａと右側面８７Ａとの間隔よりも大きい間隔が空けられている。
【００９７】
ヒンジ８１Ｂの挿入部８３Ｂおよび突部８４Ｂは、筐体５に形成された挿通口の一例としての挿通口１０１に挿入されている。挿通口１０１は、筐体５の左後端部の上面９２Ｂから下側に凹んで形成されている。
【００９８】
挿通口１０１の左側の壁面１０３は、上面９２Ｂから下側に延びる上壁面部１０４と、上壁面部１０４の下側で上下方向に延びる下壁面部１０５とを含む。挿通口１０１の右側の壁面１０６は、上面９２Ｂから下側に延びる上壁面部１０７と、上壁面部１０７の下側で上下方向に延びる下壁面部１０８とを含む。上壁面部１０４，１０７の間には、左右方向に、ヒンジ８１Ｂの挿入部８３Ｂの左側面８６Ｂと右側面８７Ｂとの間隔よりも大きい間隔が空けられている。また、下壁面部１０５，１０８の間には、上壁面部１０４，１０７の間の間隔よりも小さく、ヒンジ８１Ｂの挿入部８３Ｂの左側面８６Ｂと右側面８７Ｂとの間隔よりも大きい間隔が空けられている。
【００９９】
すなわち、２つのヒンジ８１Ａ，８１Ｂは、左右方向に間隔を空けて設けられ、それぞれの下端部が筐体５に対し上下方向に移動可能に挿入されている。
【０１００】
また、画像読取装置３は、図６に示されるように、当接部材１１１を備えている。当接部材１１１は、挿通口９１の右底部に設けられている。当接部材１１１は、筐体５に一体的に形成されている。当接部材１１１は、上面１１２、傾斜面１１３および当て面１１４を有している。上面１１２は、挿通口９１の右側の壁面９６の下壁面部９８から左側に延びている。傾斜面１１３は、上面１１２の左端縁から左下側に延びている。言い換えれば、傾斜面１１３は、右側ほど上側に位置するように傾斜している。当て面１１４は、傾斜面１１３の左端縁から下側に延びている。当て面１１４は、ヒンジ８１Ａの突部８４Ａの右側面９０Ａに右側から当接している。
【０１０１】
＜シートの画像の読み取り＞
【０１０２】
原稿Ｓの画像のＡＤＦ読み取りの際には、図２に示されるように、ＡＤＦユニット６が筐体５上に積み重なった状態で、トレイ８がトレイ位置に開かれ、メンテナンスカバー９がカバー位置に閉じられる。前述したように、原稿Ｓは、トレイ４１およびトレイ８上にセンタ基準で載置される。この状態における原稿Ｓの上面を表面とし、原稿Ｓの下面を裏面とする。
【０１０３】
原稿Ｓの先端部は、供給ローラ４３の周面上に配置される。供給ローラ４３が前側から見て時計回りに回転されると、トレイ４１上の最下の原稿Ｓの下面と供給ローラ４３の周面との摩擦力などにより、その原稿Ｓが分離ローラ４４と分離片４５との間に送り込まれる。
【０１０４】
分離ローラ４４は、前側から見て時計回りに回転されている。原稿Ｓの先端部が分離ローラ４４と分離片４５との間に挟まれたときに、原稿Ｓがたとえば１枚ずつに分離され、１枚の原稿Ｓが分離ローラ４４と分離片４５との間を通過して、上経路３４を搬送される。
【０１０５】
第１ＬＦローラ４６は、前側から見て反時計回りに回転されている。第１従動ローラ４７は、第１ＬＦローラ４６の回転に伴って、前側から見て時計回りに回転している。上経路３４を搬送される原稿Ｓの先端部が第１ＬＦローラ４６および第１従動ローラ４７の各周面の当接部分に到達すると、第１ＬＦローラ４６および第１従動ローラ４７から原稿Ｓに搬送力が付与される。
【０１０６】
そして、原稿Ｓは、コンタクトガラス６２の上面と原稿押さえ部材６３との間を通過する。このとき、コンタクトガラス６２上の原稿Ｓに、密着イメージセンサモジュール６１のＬＥＤ光源から光が照射される。そして、原稿Ｓでの反射光が密着イメージセンサモジュール６１のイメージセンサに受けられることにより、原稿Ｓの裏面に描かれている画像が読み取られる。
【０１０７】
その後、原稿Ｓの先端部は、第１ＬＦローラ４６および第１従動ローラ４７から付与される搬送力により、上経路３４から湾曲経路３６に送り込まれる。第２ＬＦローラ４９は、前側から見て反時計回りに回転される。第２従動ローラ５０および第３従動ローラ５１は、前側から見て時計回りに回転する。原稿Ｓの先端部が第２ＬＦローラ４９および第２従動ローラ５０の各周面の当接部分に到達すると、第２ＬＦローラ４９および第２従動ローラ５０から原稿Ｓに搬送力が付与される。その後、原稿Ｓの先端部が第２ＬＦローラ４９および第３従動ローラ５１の各周面の当接部分に到達すると、第２ＬＦローラ４９および第３従動ローラ５１から原稿Ｓに搬送力が付与され、湾曲経路３６から下経路３５に送り込まれる。
【０１０８】
下経路３５に送り込まれた原稿Ｓは、コンタクトガラス６５の左端部の上面と原稿押さえ部材６６との間を通過する。このとき、コンタクトガラス６５の左端部上の原稿Ｓに、密着イメージセンサモジュール６４のＬＥＤ光源から光が照射される。そして、原稿Ｓでの反射光が密着イメージセンサモジュール６４のイメージセンサに受けられることにより、原稿Ｓの表面に描かれている画像が読み取られる。
【０１０９】
上側の排出ローラ５３は、前側から見て反時計回りに回転される。下側の排出ローラ５３は、上側の排出ローラ５３の回転に伴って、前側から見て時計回りに回転している。原稿Ｓの先端部が１対の排出ローラ５３の各周面の当接部分に到達すると、１対の排出ローラ５３から原稿Ｓに搬送力が付与され、トレイ５４に排出される。
【０１１０】
＜冊子の画像の読み取り＞
【０１１１】
厚手の冊子Ｂの画像の読み取りの際には、たとえば、ＡＤＦユニット６が筐体５上に積み重なった状態で、使用者の指が開口２６にかけられて、ＡＤＦユニット６の前端部が持ち上げられる。これにより、ＡＤＦユニット６は、ヒンジ８１Ａおよびヒンジ８１Ｂの各々の軸部８２Ａおよび軸部８２Ｂを支点として、軸部８２Ａおよび軸部８２Ｂの中心軸線８５まわりに上側に回動して展開する。ＡＤＦユニット６の展開により、コンタクトガラス６５が露出する。
【０１１２】
その後、冊子Ｂの画像が形成されているページが開かれ、そのページが下側に向けられて、冊子Ｂがコンタクトガラス６５上に配置される。
【０１１３】
そして、ＡＤＦユニット６の前端部が引き下げられる。これにより、ＡＤＦユニット６は、ヒンジ８１Ａおよびヒンジ８１Ｂの各々の軸部８２Ａおよび軸部８２Ｂを支点として、軸部８２Ａおよび軸部８２Ｂの中心軸線８５まわりに下側に回動し、冊子Ｂに当接する。その後、ＡＤＦユニット６の前端部に下側への力が加えられると、ＡＤＦユニット６の下面と冊子Ｂとの当接部分を支点として、図７に示されるように、ＡＤＦユニット６の後端部がヒンジ８１Ａおよびヒンジ８１Ｂとともに上方に移動する。その結果、ＡＤＦユニット６の下面がコンタクトガラス６５と平行をなし、ＡＤＦユニット６により、冊子Ｂのページがコンタクトガラス６５に一様に押しつけられる。
【０１１４】
その後、画像の読み取りを開始するための操作がなされると、密着イメージセンサモジュール６４がコンタクトガラス６５の左端部から右端部まで一定速度で移動される。このとき、密着イメージセンサモジュール６４からコンタクトガラス６５を通して冊子Ｂのページに光が照射される。そして、ページでの反射光が密着イメージセンサモジュール６４のイメージセンサに受けられることにより、ページに描かれている画像が読み取られる。
【０１１５】
その後、ＡＤＦユニット６は、その前端部が持ち上げられて、ＡＤＦユニット６の下面と冊子Ｂとの当接部分を支点として、ＡＤＦユニット６の後端部がヒンジ８１Ａおよびヒンジ８１Ｂとともに下側に移動する。このとき、ヒンジ８１Ａの左右方向の位置が正規の位置よりも右側にずれていると、突部８４Ａの下端が当接部１１１の傾斜面１１３に当接する。この場合、ヒンジ８１Ａの下側への移動に伴って、突部８４Ａの下端が傾斜面１１３に沿って移動する。これにより、ヒンジ８１Ａの左右方向の位置が正規の位置に戻され、突部８４Ａが当接部材１１１の当て面１１４の左側に入る。そして、ヒンジ８１Ａの突部８４Ａが挿通口９１および挿通口１０１の底面に当接すると、ＡＤＦユニット６の後端部の移動が完了する。
【０１１６】
そして、冊子Ｂがコンタクトガラス６５上から取り除かれた後に、ＡＤＦユニット６は、ヒンジ８１Ａの軸部８２Ａおよびヒンジ８１Ｂの軸部８２Ｂを支点として、軸部８２Ａおよび軸部８２Ｂの中心軸線８５まわりに下側に回動され、筐体５上に積み重なった状態に戻される。
【０１１７】
＜作用効果＞
【０１１８】
以上のように、ＡＤＦユニット６の左側に偏った位置に、モータ７２が配置されている。そのため、ＡＤＦユニット６の左側は、右側よりも重い。すなわち、ＡＤＦユニット６が上側に回動して展開されるときに、ＡＤＦユニット６の右側が左側よりも先行して移動しやすい重量配分になっている。
【０１１９】
ＡＤＦユニット６が上側に回動して展開されるときに、ＡＤＦユニット６の右側に片寄った部分にＡＤＦユニット６の回動のための力が加えられても、当接部材１１１の当て面１１４がヒンジ８１Ａに当接することにより、ヒンジ８１Ａが上下方向に対して傾くことを抑制できる。そのため、ＡＤＦユニット６が左右方向に対して傾くことを抑制できる。
【０１２０】
また、ヒンジ８１Ａが当接部材１１１に対して上下方向に離間した状態で、ヒンジ８１Ａの左右方向の位置が正規の位置から右側にずれていても、ヒンジ８１Ａが当接部材１１１に近づく方向に移動されるときに、ヒンジ８１Ａの突部８４Ａが当接部材１１１の傾斜面１１３に沿って移動し、ヒンジ８１Ａの左右方向の位置が正規の位置に戻る。そのため、ヒンジ８１Ａをスムーズに移動させることができる。
【０１２１】
＜第１実施形態の変形例＞
【０１２２】
たとえば、ヒンジ８１Ａは、図８に示されるように、突部８４Ａを備えておらず、軸部８２Ａおよび挿入部８３Ａのみを備える構成であってもよい。
【０１２３】
図８に示される構成では、筐体５の左後端部の上面９２に、挿通口の一例としての挿通口２０１が形成されている。ヒンジ８１Ａの挿入部８３Ａは、挿通口２０１に上側から挿入されている。挿通口２０１の右側の壁面２０２は、当て面１１４と同一平面Ｆ上に配置されている。
【０１２４】
この構成によれば、ヒンジ８１Ａが上下方向に沿って延びた状態で、挿通口２０１の右側の壁面２０２と当接部材１１１の当て面１１４との一方がヒンジ８１Ａに強く当接することを抑制できる。そのため、ヒンジ８１Ａをよりスムーズに移動させることができる。
【０１２５】
また、画像読取装置３は、図９に示されるように、当接部材１１１に加えて当接部材１１１Ｂを備えていてもよい。当接部材１１１Ｂは、挿通口１０１の左底部に設けられる。当接部材１１１Ｂは、筐体５に一体的に形成されている。当接部材１１１Ｂは、図１０に示されるように、上面１１２Ｂ、傾斜面１１３Ｂおよび当て面１１４Ｂを有している。上面１１２は、挿通口１０１の左側の壁面１０３の下壁面部１０５から右側に延びている。傾斜面１１３Ｂは、上面１１２Ｂの右端縁から右下側に延びている。当て面１１４Ｂは、傾斜面１１３Ｂの右端縁から下側に延びている。当て面１１４Ｂは、ヒンジ８１Ｂの突部８４Ｂの左側面８９Ｂに左側から当接している。これにより、ヒンジ８１Ｂが上下方向に対して傾くことを抑制できる。
【０１２６】
＜第２実施形態＞
【０１２７】
図１１は、本発明の第２実施形態に係る画像読取装置３の断面図である。図１２は、図１１に示される画像読取装置３の断面図におけるヒンジ８１Ａ近傍の拡大図である。
【０１２８】
なお、図１１および図１２において、図５に示される各部に相当する部分には、それらの各部と同一の参照符号が付されている。また、以下では、図１１および図１２に示される構成について、図５に示される構成との相違点のみを説明する。
【０１２９】
画像読取装置３は、図５に示される当接部材１１１に代えて、当接部材３０１を備えている。
【０１３０】
当接部材３０１は、挿通口９１の左側の壁面９３の上壁面部９４に設けられる。当接部材３０１は、筐体５に一体的に形成されている。当接部材３０１は、図１２に示されるように、傾斜面３０２および当て面３０３を有している。傾斜面３０２は、挿通口９１の左側の壁面１０３の上壁面部９４の上下方向の略中央から右下側に延びている。当て面３０３は、傾斜面３０２の右端縁から下側に延びている。
【０１３１】
ヒンジ８１Ａの挿入部８３Ａは、延出部３０４を備えている。延出部３０４は、左側面８６Ａの上部から当接部材３０１の当て面３０３に向けて左側に延びている。
【０１３２】
この構成によれば、ＡＤＦユニット６が上側に回動して展開されるときに、ＡＤＦユニット６の右側に片寄った部分にＡＤＦユニット６の回動のための力が加えられても、当接部材３０１の当て面３０３がヒンジ８１Ａの延出部３０４に当接することにより、ヒンジ８１Ａが上下方向に対して傾くことを抑制できる。そのため、ＡＤＦユニット６が左右方向に対して傾くことを抑制できる。
【０１３３】
また、ヒンジ８１Ａが当接部材３０１に対して上下方向に離間した状態で、ヒンジ８１Ａの左右方向の位置が正規の位置から左側にずれていても、ヒンジ８１Ａが当接部材３０１に近づく方向に移動されるときに、ヒンジ８１Ａの延出部３０４が当接部材３０１の傾斜面３０２に沿って移動し、ヒンジ８１Ａの左右方向の位置が正規の位置に戻る。そのため、ヒンジ８１Ａをスムーズに移動させることができる。
【０１３４】
また、当接部材３０１が挿通口９１の上端に近い（浅い）位置に設けられているので、当接部材３０１を容易に形成することができる。
【０１３５】
また、ヒンジ８１Ａの左側面８６Ａにおける延出部３０４以外の部分は、当接部材３０１の当て面３０３に対して右側に間隔を空けて位置している。そのため、ヒンジ８１Ａが上下方向に移動したときに、ヒンジ８１Ａの延出部３０４以外の部分が当接部材３０１に摺擦することを抑制できる。その結果、ヒンジ８１Ａおよび当接部材３０１の摩耗および摺擦音の発生を抑制することができる。
【０１３６】
＜第３実施形態＞
【０１３７】
図１３は、本発明の第３実施形態に係る画像読取装置３の背面図である。図１４は、図１３に示される画像読取装置３の背面図におけるヒンジ８１Ａ近傍の拡大図である。
【０１３８】
ヒンジ８１Ａ，８１Ｂの後面の下端部には、図１３に示されるように、それぞれ抜け止めねじ３１１Ａ，３１１Ｂが後側から螺合されている。
【０１３９】
筐体５は、後板部３１２Ａ，３１２Ｂを備えている。
【０１４０】
後板部３１２Ａ，３１２Ｂは、それぞれヒンジ８１Ａ，８１Ｂの後側に位置している。後板部３１２Ａ，３１２Ｂには、それぞれ下側に開放された溝部３１６Ａ，３１６Ｂが前後方向に貫通して形成されている。
【０１４１】
溝部３１６Ａが形成されることにより、後板部３１２Ａは、第１面部３１３Ａ、第２面部３１４Ａおよび第３面部３１５Ａを有している。第１面部３１３Ａは、後板部３１２Ａの下端から上側に延びている。第２面部３１４Ａは、第１面部３１３Ａの右側に抜け止めねじ３１１Ａの頭部３２１Ａの直径より大きい間隔を空けて、第１面部３１３Ａと平行をなして上下方向に延びている。第３面部３１５Ａは、第１面部３１３Ａの上端と第２面部３１４Ａの上端とに接続され、上側に膨出する半円弧状に形成されている。
【０１４２】
溝部３１６Ｂが形成されることにより、後板部３１２Ｂは、第１面部３１３Ｂ、第２面部３１４Ｂおよび第３面部３１５Ｂを有している。第１面部３１３Ｂは、後板部３１２Ｂの下端から上側に延びている。第２面部３１４Ｂは、第１面部３１３Ｂの右側に抜け止めねじ３１１Ｂの頭部３２１Ｂの直径より大きい間隔を空けて、第１面部３１３Ｂと平行をなして上下方向に延びている。第３面部３１５Ｂは、第１面部３１３Ｂの上端と第２面部３１４Ｂの上端とに接続され、上側に膨出する半円弧状に形成されている。
【０１４３】
画像読取装置３は、図１４に示されるように、当接部材３１８Ａを備えている。当接部材３１８Ａは、後板部３１２Ａに一体的に形成されている。当接部材３１８Ａは、斜面３１９Ａおよび当て面３２０Ａを有している。傾斜面３１９Ａは、第２面部３１４Ａの下端から左下側に延びている。当て面３２０Ａは、傾斜面３１９Ａの左端縁から後板部３１２Ａの下端まで下側に延びている。
【０１４４】
抜け止めねじ３１１Ａの頭部３２１Ａおよび抜け止めねじ３１１Ｂの頭部３２１Ｂは、それぞれ溝部３１６Ａ，３１６Ｂ内に位置している。そして、ヒンジ８１Ａ，８１Ｂが最下位置に位置する状態において、抜け止めねじ３１１Ａの頭部３２１Ａは、当接部材３１８Ａの当て面３２０Ａに左側から当接している。
【０１４５】
この構成によれば、ＡＤＦユニット６が筐体５に対して持ち上がり、ヒンジ８１Ａ，８１Ｂが上側に移動したときに、抜け止めねじ３１１Ａ，３１１Ｂがそれぞれ第３面部３１５Ａ，３１５Ｂに当接することにより、ヒンジ８１Ａ，８１Ｂがそれ以上に移動することが抑制される。よって、ヒンジ８１Ａ，８１Ｂが挿通孔９１から抜けることを抑制できる。
【０１４６】
当て面３２０Ａは、抜け止めねじ３１１Ａの頭部３２１Ａに右側から当接している。これにより、ＡＤＦユニット６が上側に回動して展開されるときに、ＡＤＦユニット６の右側に片寄った部分にＡＤＦユニット６の回動のための力が加えられても、当接部材３１８Ａの当て面３２０Ａが抜け止めねじ３１１Ａの頭部３２１Ａに当接することにより、ヒンジ８１Ａが上下方向に対して傾くことを抑制できる。そのため、ＡＤＦユニット６が左右方向に対して傾くことを抑制できる。
【０１４７】
また、ヒンジ８１Ａが当接部材３１８に対して上下方向に離間した状態で、ヒンジ８１Ａの左右方向の位置が正規の位置から右側にずれていても、ヒンジ８１Ａが当接部材３１８Ａに近づく方向に移動されるときに、ヒンジ８１Ａの抜け止めねじ３１１Ａの頭部３２１Ａが当接部材３１８Ａの傾斜面３１９Ａに沿って移動し、ヒンジ８１Ａの左右方向の位置が正規の位置に戻る。そのため、ヒンジ８１Ａをスムーズに移動させることができる。
【０１４８】
＜第３実施形態の変形例＞
【０１４９】
画像読取装置３は、図１５に示されるように、当接部材３１８Ｂを備えていてもよい。
【０１５０】
当接部材３１８Ｂは、後板部３１２Ｂに一体的に形成されている。当接部材３１８Ｂは、斜面３１９Ｂおよび当て面３２０Ｂを有している。傾斜面３１９Ｂは、第２面部３１４Ｂの下端から左下側に延びている。当て面３２０Ｂは、傾斜面３１９Ｂの左端縁から後板部３１２Ａの下端まで下側に延びている。
【０１５１】
ヒンジ８１Ａ，８１Ｂが最下位置に位置する状態において、抜け止めねじ３１１Ｂの頭部３２１Ｂは、当接部材３１８Ｂの当て面３２０Ｂに左側から当接している。言い換えれば、当て面３２０Ｂは、抜け止めねじ３１１Ｂの頭部３２１Ｂに右側から当接している。これにより、ＡＤＦユニット６が上側に回動して展開されるときに、ＡＤＦユニット６の右側に片寄った部分にＡＤＦユニット６の回動のための力が加えられても、当接部材３１８Ｂの当て面３２０Ｂが抜け止めねじ３１１Ｂの頭部３２１Ｂに当接することにより、ヒンジ８１Ｂが上下方向に対して傾くことを抑制できる。そのため、ＡＤＦユニット６が左右方向に対して傾くことを抑制できる。
【０１５２】
抜け止めねじ３１１Ａ，３１１Ｂは、それぞれヒンジ８１Ａ，８１Ｂに対して分離可能に設けられていてもよいし、分離不能に設けられていてもよい。また、抜け止めねじ３１１Ａ，３１１Ｂと同様な構成を有する部材がそれぞれヒンジ８１Ａ，８１Ｂと一体に形成されていてもよい。
【０１５３】
その他、前述の構成には、特許請求の範囲に記載された事項の範囲で種々の設計変更を施すことが可能である。
【符号の説明】
【０１５４】
１        画像読取装置
５        筐体
６        ＡＤＦユニット
６５      コンタクトガラス
６５Ａ    原稿載置面
７２      モータ
８１Ａ    ヒンジ
８１Ｂ    ヒンジ
１１１    当接部材
１１１Ｂ  当接部材
１１３    傾斜面
１１３Ｂ  傾斜面
１１４    当て面
１１４Ｂ  当て面
２０１    挿通口
２０２    壁面
３０１    当接部材
３０２    傾斜面
３０３    当て面
３０４    延出部
３１１Ａ  抜け止めねじ（突起部）
３１１Ｂ  抜け止めねじ（突起部）
３１８Ａ  当接部材
３１８Ｂ  当接部材
３１９Ａ  傾斜面
３１９Ｂ  傾斜面
３２０Ａ  当て面
３２０Ｂ  当て面
Ｓ        原稿
Ｆ        平面
【図１】
2014135718.tif 000003
【図２】
2014135718.tif 000004
【図３】
2014135718.tif 000005
【図４】
2014135718.tif 000006
【図５】
2014135718.tif 000007
【図６】
2014135718.tif 000008
【図７】
2014135718.tif 000009
【図８】
2014135718.tif 000010
【図９】
2014135718.tif 000011
【図１０】
2014135718.tif 000012
【図１１】
2014135718.tif 000013
【図１２】
2014135718.tif 000014
【図１３】
2014135718.tif 000015
【図１４】
2014135718.tif 000016
【図１５】
2014135718.tif 000017